(57)【要約】【課題】調湿性の他に、芳香性、抗菌性、防カビ性、防虫性などの調湿性とは異なる機能が付与されており、かつ当該機能を長期にわたって持続させることが可能な調湿建材及び調湿建材の設置構造を提供する。【解決手段】調湿建材本体の裏面に、水溶性ドライカプセルを有する調湿建材であって、該水溶性ドライカプセル内に、芳香剤を含有する被封入物が封入されていることを特徴とする調湿建材。この調湿建材は、調湿建材本体による調湿作用を有すると共に、調湿建材本体の裏面に存在する芳香剤による芳香作用をも有する。この芳香剤は、水溶性ドライカプセル内に封入されている。この水溶性ドライカプセルは、調湿建材本体の表面側から該調湿建材本体を通過してくる湿気によって徐々に分解されることから、この水溶性ドライカプセルに封入された芳香剤による芳香作用が長期にわたり持続する。【選択図】図１
2010007354.tif 000002
【特許請求の範囲】
【請求項１】
調湿建材本体の裏面に、水溶性ドライカプセルを有しており、該水溶性ドライカプセル内に、芳香剤を含有する被封入物が封入されていることを特徴とする調湿建材。
【請求項２】
調湿建材本体の裏面に、水溶性ドライカプセルを有しており、該水溶性ドライカプセル内に、抗菌剤、防カビ剤及び防虫剤の少なくとも１種を含有する被封入物が封入されていることを特徴とする調湿建材。
【請求項３】
請求項１又は２において、前記調湿建材本体が透湿抵抗１．８〜２．３ｍ２・ｈ・ｍｍＨｇ／ｇであることを特徴とする調湿建材。
【請求項４】
調湿建材を壁面に設置してなる調湿建材の設置構造において、
該壁面と調湿建材本体との間に、水溶性ドライカプセルが介在しており、
該水溶性ドライカプセル内に、芳香剤を含有する被封入物が封入されていることを特徴とする調湿建材の設置構造。
【請求項５】
調湿建材を壁面に設置してなる調湿建材の設置構造において、
該壁面と調湿建材本体との間に、水溶性ドライカプセルが介在しており、
該水溶性ドライカプセル内に、抗菌剤、防カビ剤及び防虫剤の少なくとも１種を含有する被封入物が封入されていることを特徴とする調湿建材の設置構造。
【請求項６】
請求項４又は５において、前記調湿建材が湿気硬化型の接着剤によって前記壁面に塗着されており、
該湿気硬化型の接着剤に、前記被封入物の封入された水溶性ドライカプセルが含まれていることを特徴とする調湿建材の設置構造。
【請求項７】
請求項４ないし６のいずれか１項において、前記調湿建材が請求項１ないし３のいずれか１項の調湿建材であることを特徴とする調湿建材の設置構造。
【請求項８】
調湿建材を壁面に設置してなる調湿建材の設置構造において、
該壁面に凹部が設けられ、該凹部内に芳香剤、抗菌剤、防カビ剤及び防虫剤の少なくとも１種が配置され、該凹部が調湿建材によって閉止されていることを特徴とする調湿建材の設置構造。
【発明の詳細な説明】
【技術分野】
【０００１】
本発明は調湿建材及び調湿建材の設置構造に係り、特に、調湿性の他に、芳香性、抗菌性、防カビ性、防虫性などの機能が付与された調湿建材及び調湿建材の設置構造に関する。
【背景技術】
【０００２】
従来、日本の家屋では、木造土壁建築により、調湿性、防露性の良い建築物を実現してきたが、近年、建築物の高気密化が進められ、耐火性、気密性を重視した新建材が多用されるようになった。しかし、新建材では、調湿性、防露性などの特性が十分でないことから、次のような問題がある。
【０００３】
(1)建材表面で結露することにより、建物の快適性及び耐久性を損なう。
(2)結露により発生した水分がカビやダニの発生を招き、人体に悪影響を及ぼす。
【０００４】
これらの問題を解決するために、一般的には空調設備が取り付けられるが、空調設備は動力を必要とし、設備費のみならず、運転費の面で好ましくない。
【０００５】
このようなことから、建材自体に調湿機能を持たせ、空調設備や動力などを必要とせずに室内の湿度調整を行い、防露性を得ることができる調湿建材の開発が行われている。従来、調湿建材としては、ゼオライトや珪藻土などの吸湿性をもつ材料を、セメント、石膏などの凝結硬化剤で固めた建材や粘土などと混合して焼き固めた建材が用いられている。具体的には、珪藻土系調湿建材としては特開平４−３５４５１４号公報等が、また、ゼオライト系調湿建材としては特開平３−１０９２４４号公報が提案されている。
【０００６】
また、本出願人は、調湿建材として、特開平８−１４４３８７号公報、特開平９−１３７５１６号公報、特開平１１−３１５５８６号公報、特開２００１−１２２６５７号公報などを提案している。
【０００７】
また、実公平６−５４４８号公報には、調湿性を有する気泡セメント板の気泡に消臭剤や芳香剤をしみ込ませておくことにより、該気泡セメント板に消臭機能や脱臭機能を付与することが提案されている。
【特許文献１】特開平４−３５４５１４号公報
【特許文献２】特開平３−１０９２４４号公報
【特許文献３】特開平８−１４４３８７号公報
【特許文献４】特開平９−１３７５１６号公報
【特許文献５】特開平１１−３１５５８６号公報
【特許文献６】特開２００１−１２２６５７号公報
【特許文献７】実公平６−５４４８号公報
【発明の開示】
【発明が解決しようとする課題】
【０００８】
上記実公平６−５４４８号公報にあっては、消臭剤や芳香剤は気泡セメント板にしみ込ませただけであるため、短時間で費消されてしまい、消臭性や芳香性を長期にわたり継続させることができない。
【０００９】
本発明は、調湿性の他に、芳香性、抗菌性、防カビ性、防虫性などの調湿性とは異なる機能が付与されており、かつ当該機能を長期にわたって持続させることが可能な調湿建材及び調湿建材の設置構造を提供することを目的とする。
【課題を解決するための手段】
【００１０】
請求項１の調湿建材は、調湿建材本体の裏面に、水溶性ドライカプセルを有しており、該水溶性ドライカプセル内に、芳香剤を含有する被封入物が封入されていることを特徴とする。
【００１１】
請求項２の調湿建材は、調湿建材本体の裏面に、水溶性ドライカプセルを有しており、該水溶性ドライカプセル内に、抗菌剤、防カビ剤及び防虫剤の少なくとも１種を含有する被封入物が封入されていることを特徴とする。
【００１２】
請求項３の調湿建材は、請求項１又は２において、前記調湿建材本体が透湿抵抗１．８〜２．３ｍ２・ｈ・ｍｍＨｇ／ｇであることを特徴とする。
【００１３】
請求項４の調湿建材の設置構造は、調湿建材を壁面に設置してなる調湿建材の設置構造において、該壁面と調湿建材本体との間に、水溶性ドライカプセルが介在しており、該水溶性ドライカプセル内に、芳香剤を含有する被封入物が封入されていることを特徴とする。
【００１４】
請求項５の調湿建材の設置構造は、調湿建材を壁面に設置してなる調湿建材の設置構造において、該壁面と調湿建材本体との間に、水溶性ドライカプセルが介在しており、該水溶性ドライカプセル内に、抗菌剤、防カビ剤及び防虫剤の少なくとも１種を含有する被封入物が封入されていることを特徴とする。
【００１５】
請求項６の調湿建材の設置構造は、請求項４又は５において、前記調湿建材が湿気硬化型の接着剤によって前記壁面に塗着されており、該湿気硬化型の接着剤に、前記被封入物の封入された水溶性ドライカプセルが含まれていることを特徴とする。
【００１６】
請求項７の調湿建材の設置構造は、請求項４ないし６のいずれか１項において、前記調湿建材が請求項１ないし３のいずれか１項の調湿建材であることを特徴とする。
【００１７】
請求項８の調湿建材の設置構造は、調湿建材を壁面に設置してなる調湿建材の設置構造において、該壁面に凹部が設けられ、該凹部内に芳香剤、抗菌剤、防カビ剤及び防虫剤の少なくとも１種が配置され、該凹部が調湿建材によって閉止されていることを特徴とする。
【発明の効果】
【００１８】
請求項１の調湿建材及び請求項４の調湿建材の設置構造にあっては、調湿建材本体による調湿作用を有すると共に、調湿建材本体の裏面に存在する芳香剤による芳香作用をも有する。また、この芳香剤は、水溶性ドライカプセル内に封入されている。この水溶性ドライカプセルは、調湿建材本体の表面側から該調湿建材本体を通過してくる湿気によって徐々に分解されることから、この水溶性ドライカプセルに封入された芳香剤による芳香作用が長期にわたり持続することになる。
【００１９】
請求項２の調湿建材及び請求項５の調湿建材の設置構造にあっては、調湿建材本体による調湿作用を有する。また、調湿建材本体の裏面に、抗菌剤、防カビ剤及び防虫剤の少なくとも１種を含有する被封入物が存在するため、抗菌作用、防カビ作用ないし防虫作用をも有する。さらに、この被封入物は、水溶性ドライカプセル内に封入されている。この水溶性ドライカプセルは、調湿建材本体の表面側から該調湿建材本体を通過してくる湿気によって徐々に分解されることから、この水溶性ドライカプセルに封入された被封入物による各種作用が長期にわたり持続することになる。
【００２０】
本発明において、調湿建材本体は透湿抵抗１．８〜２．３ｍ２・ｈ・ｍｍＨｇ／ｇであると、湿気が該調湿建材本体を通過して水溶性ドライカプセルを分解することが可能であると共に、被封入物による各種作用も長期にわたり持続する。
【００２１】
本発明の調湿建材の設置構造において、調湿建材を壁面に張り付ける接着剤として、水溶性ドライカプセルを含有する湿気硬化型の接着剤を用いてもよい。この湿気硬化型の接着剤は水分を含まないため、この湿気硬化型接着剤に水溶性ドライカプセルを含ませても、該水溶性ドライカプセルが分解することがない。この調湿建材を壁面に張り付けた後、この湿気硬化型の接着剤は、大気中から該調湿建材を通過してくる湿気によって徐々に硬化する。この湿気によって該湿気硬化型接着剤中の水溶性ドライカプセルは徐々に分解されるため、この水溶性ドライカプセルに封入された被封入物による各種作用が長期にわたり持続することになる。また、この湿気硬化型の接着剤は、硬化した後においても湿気や被封入物からの揮発物等を通過させるため、硬化後においても被封入物による各種作用が持続する。これに対し、水系の接着剤を用いた場合、該水系接着剤内に水溶性ドライカプセルを混合するときに水溶性ドライカプセルが分解してしまう。
【００２２】
請求項８の調湿建材の設置構造によると、壁面の凹部を閉止している調湿建材を取り外し、該凹部内の芳香剤等を取り出したり、新品や他の種類の芳香剤等に交換したりすることができる。
【発明を実施するための最良の形態】
【００２３】
以下に本発明の実施の形態を詳細に説明する。
【００２４】
本発明の調湿建材は、調湿建材本体の裏面に、水溶性ドライカプセルを有しており、この水溶性ドライカプセル内に被封入物が封入されたものである。この封入物には、芳香剤、抗菌剤、防カビ剤、防虫剤等が１種又は２種以上含まれている。
【００２５】
本発明の調湿建材によると、調湿建材本体による調湿作用を有すると共に、調湿建材本体の裏面に存在する封入物による各種の作用、即ち、芳香作用、抗菌作用、防カビ作用、防虫作用等をも有する。また、この水溶性ドライカプセルは、調湿建材本体の表面側から該調湿建材本体を通過してくる湿気によって徐々に分解される。このため、この水溶性ドライカプセルに封入された封入物による各種作用が長期にわたり持続することになる。
【００２６】
調湿建材本体は、例えば、鹿沼土、大沢土及び膠質土、水土、味噌土と呼ばれる各地の火山軽石層や珪藻土、酸性白土、活性白土、ゼオライト、ハロイサイト、セピオライトなどの調湿性原料に木節粘土、蛙目粘土等の粘土や珪石、陶石、蝋石、長石その他のガラス質成分等を下記の配合割合及び化学組成で混合し、押し出し成形又はプレス成形し、得られた成形体を焼成することにより製造される。
【００２７】
この調湿建材本体は、透湿抵抗が１．８〜２．３ｍ２・ｈ・ｍｍＨｇ／ｇであることが好ましい。透湿抵抗とは、ＪＩＳ  Ａ１３２４に定義されている通り、透湿係数の逆数のことである。透湿係数とは、材料の両側の水蒸気圧差を一定に保ったときに、材料を単位時間当たりに透過する水蒸気の質量を材料の両表面間の単位水蒸気圧差当り、材料単位面積当たりに換算した値のことである。透湿抵抗が２．３ｍ２・ｈ・ｍｍＨｇ／ｇ以下であると、大気中の湿気が調湿建材本体を通過し、水溶性ドライカプセルを十分に分解することができる。透湿抵抗が３ｍ２・ｈ・ｍｍＨｇ／ｇ以下であると、大気中の湿気が調湿建材本体を少しずつ通過し、水溶性ドライカプセルが徐々に分解するため、被封入物が徐々に費消されることになり、封入物による各種作用が長期にわたり持続することになる。
【００２８】
水溶性ドライカプセルは、水溶性膜からなるマイクロカプセルである。この水溶性膜としては、ヒドロキシプロピルメチルセルロースなどのセルロース誘導体、カルボキシメチルセルロースのナトリウム塩、デンプン、アラビアゴムのうちの１種又は２種以上の組合せ等が好適に用いられる。
【００２９】
この水溶性ドライカプセルの形状は例えば球状であり、平均粒径は例えば６０μｍである。
【００３０】
この水溶性ドライカプセル内に封入される芳香剤としては、例えば、桧、ヒバ、松、杉等の天然木材より抽出されるテルペン類又はセスキテルペン類を主成分とする天然精油、エチレン、アセチレン、脂肪酸を原料とする合成香料などが挙げられる。芳香剤としては、高砂香料工業社製フレグランスＰＨ３１１２などが挙げられる。
【００３１】
芳香剤を水溶性ドライカプセルで被覆する方法としては、例えば噴霧造粒法が挙げられる。この噴霧造粒法によると、マイクロカプセル生成工程と乾燥工程を同一工程で行うことができ、製造の簡素化と装置の簡易化を図ることができる。
【００３２】
この噴霧造粒法を適用して芳香剤カプセルを製造する一例としては、ＰＶＡ水溶液中にメラミンプレポリマー、塩化アンモニウム、結晶性セルロース及びアラビアゴムを分散させた分散液に対してフレグランスＰＨ３１１２を平均粒径５〜６μｍに乳化分散し、次いで噴霧乾燥する。これにより、平均粒径６０μｍ程度の多重マイクロカプセルが得られる。このフレグランスＰＨ３１１２のマイクロカプセルの場合、メラミン樹脂を骨格とし、結晶セルロースとアラビアゴムが充填されたカプセル構造である。
【００３３】
この水溶性ドライカプセルに封入される被封入物としては、芳香剤の他に、抗菌剤、防カビ剤、防虫剤等が挙げられる。
【００３４】
抗菌剤としては、例えば、銀などの無機系抗菌剤、クロルヘキシジンなどの有機系抗菌剤等が用いられる。
【００３５】
防カビ剤としては、例えば、ＴＢＺ（チアベンダゾール）、ＯＰＰ（オルトフェニルフェノール）等が用いられる。
【００３６】
防虫剤としては、例えば、パラジクロルベンゼン、ナフタリン等が用いられる。
【００３７】
この被封入物が封入された水溶性ドライカプセルを、例えば、シリコンやウレタン等の有機溶剤に分散させ、調湿建材本体に塗布することにより、本発明の調湿建材を得ることができる。
【００３８】
次に、調湿建材の設置構造について説明する。
【００３９】
第１の実施の形態に係る調湿建材の設置構造は、調湿建材を壁面に設置してなる調湿建材の設置構造において、該壁面と調湿建材本体との間に、水溶性ドライカプセルが介在しており、該水溶性ドライカプセル内に被封入物が封入されているものである。この封入物には、芳香剤、抗菌剤、防カビ剤、防虫剤等が１種又は２種以上含まれている。
【００４０】
この調湿建材の設置構造によると、調湿建材本体による調湿作用を有すると共に、封入物による各種の作用、即ち、芳香作用、抗菌作用、防カビ作用、防虫作用等をも有する。また、この水溶性ドライカプセルは、調湿建材本体の表面側から該調湿建材本体を通過してくる湿気によって徐々に分解される。このため、この水溶性ドライカプセルに封入された封入物による各種作用が長期にわたり持続することになる。
【００４１】
この調湿建材の設置構造は、例えば、この水溶性ドライカプセルを湿気硬化型の接着剤中に混合し、この水溶性ドライカプセル含有湿気硬化型接着剤を用いて調湿建材を壁面に張り付けることにより製造することができる。
【００４２】
この湿気硬化型の接着剤は水分を含有しないため、水溶性ドライカプセルは、この湿気硬化型接着剤との混合時に分解することはなく、調湿建材の設置構造の施工後に、調湿建材本体を通過してきた湿気によって徐々に分解されることになる。その結果、この水溶性ドライカプセルに封入された被封入物による各種作用が長期にわたり持続することになる。なお、この湿気硬化型の接着剤は、硬化した後においても湿気や封入物の揮発物等を通過させることができるため、硬化後においても被封入物による各種作用が持続する。
【００４３】
この湿気硬化型の接着剤としては、例えば、シリコーン系接着剤、ウレタン系接着剤等が好適に用いられる。
【００４４】
この水溶性ドライカプセル含有接着剤中における水溶性ドライカプセルの含有量は、０．１〜５ｗｔ％、特に１〜３ｗｔ％であることが好ましい。
【００４５】
また、この調湿建材の設置構造において、調湿建材として上記の調湿建材、即ち、調湿建材本体の裏面に水溶性ドライカプセルを有する調湿建材を用いてもよい。この場合、湿気硬化型の接着剤への水溶性ドライカプセルの混合を省略してもよい。また、接着剤に水溶性ドライカプセルを混合しない場合には、湿気硬化型接着剤に代えて、非水系接着剤を用いてもよい。この非水系接着剤は、硬化後に湿気や封入物の揮発物等を通過させないものであってもよい。
【００４６】
この非水系接着剤としては、シリコーン系接着剤、ウレタン系接着剤等が好適に用いられる。
【００４７】
図１は、第２の実施の形態に係る調湿建材の設置構造の縦断面図である。
【００４８】
壁３の壁面に、凹部４が設けられており、この凹部４内に容器５が配置されている。この容器５内には、芳香剤、抗菌剤、防カビ剤及び防虫剤の少なくとも１種が充填されている。
【００４９】
この壁３の壁面のうち該凹部４よりもやや上方の位置に、フック３ａが設けられている。また、この壁３の壁面のうち該凹部４よりもやや下方の位置にも、フック３ｂが設けられている。
【００５０】
この凹部４を覆うようにして、調湿建材２が設置されている。この調湿建材２は、裏面の上部及び下部にフック２ａ及びフック３ｂが設けられており、これらフック２ａ，２ｂを上記フック３ａ，３ｂに掛けることにより、該調湿建材２が壁３の壁面に設置されている。
【００５１】
この壁面のうち凹部４が設けられていない箇所には、裏面にフックを有しない調湿建材１が接着剤等を介して張り付けられている。
【００５２】
この調湿建材の設置構造によると、フック２ａ，２ｂをフック３ａ，３ｂから掛け外すことにより、該調湿建材２を壁面から容易に取り外すことができる。このため、芳香剤等を必要としないときに、容器５を該凹部４から取り出すことができる。また、該容器５内の芳香剤等の各種作用が低下した際に、該容器５内の芳香剤等を交換したり補充したりすることができる。
【実施例】
【００５３】
以下に実施例及び比較例を挙げて本発明をより具体的に説明する。
【００５４】
実施例１
＜調湿建材本体の製造＞
鹿沼土焼成体鹿沼土１０重量部と粘土８０重量部とタイルシャモット（平均粒径１ｍｍ）１０重量部に水を適量加えて押し出し成形した。これを乾燥後、８００℃で１時間焼成した。このようにして、調湿建材本体（３０３ｍｍ×３０３ｍｍ×厚み５．５ｍｍ）を得た。
【００５５】
なお、この調湿建材本体について、ＪＩＳ  Ａ１３２４に準拠して透湿抵抗を測定した結果、２．０ｍ２・ｈ・ｍｍＨｇ／ｇであった。
【００５６】
＜芳香剤カプセルの製造＞
ＰＶＡ水溶液中にメラミンプレポリマー、塩化アンモニウム、結晶性セルロース及びアラビアゴムを分散させた分散液に対して高砂香料工業社製芳香剤「フレグランスＰＨ３１１２」を平均粒径５〜６μｍに乳化分散し、次いで噴霧乾燥した。これにより、平均粒径６０μｍ程度の芳香剤カプセルを得た。
【００５７】
＜調湿建材の製造＞
上記芳香剤カプセルをウレタンプレポリネートに添加し、２ｗｔ％芳香剤カプセル分散液とした。この分散液を２流体スプレーで調湿建材本体の裏面に０．０１ｇ／ｃｍ２となるように塗布して、調湿建材を得た。
【００５８】
＜試験室の作成＞
２ｍ×２ｍ×２ｍの試験室を用意した。この試験室の４壁面、天井面及び床面には石膏ボードを用いた。この試験室内の３壁面に対して、上記調湿建材をウレタン系接着剤を用いて設置した。各壁面において、調湿建材は縦６列×横６列に設置した。
【００５９】
また、ブランクとして、上記調湿建材を設置しない試験室を用意した。
【００６０】
＜測定＞
各試験室について、１時間で試験室内の空気の半分が置換するように（即ち、４ｍ３／ｈとなるように）喚起量を調整して６ヶ月間、１回／日の頻度で試験室内における芳香の有無を５人で評価した。
【００６１】
その結果、調湿建材を設置した試験室においては、測定開始から１０日後から芳香が確認され、測定開始から６ヶ月後まで芳香が持続した。
【００６２】
比較例１
＜調湿建材の製造＞
実施例１と同様の芳香剤を用意した。但し、比較例１では実施例１と異なり、この芳香剤に水溶性ドライカプセルを被覆しなかった。
【００６３】
この芳香剤をウレタンプレポリネートに添加し、２ｗｔ％芳香剤分散液とした。この分散液を２流体スプレーで、実施例１と同様の調湿建材本体の裏面に０．０１ｇ／ｃｍ２となるように塗布して、調湿建材を得た。
【００６４】
＜試験室の作成及び測定＞
上記調湿建材を用いたことの他は実施例１と同様にして試験室を作成し、実施例１と同様の測定を行った。
【００６５】
その結果、測定開始直後から芳香が確認されたが、測定開始から１０日後に芳香が確認されなくなった。
【００６６】
実施例２  
＜芳香カプセル含有湿気硬化型接着剤の製造＞
湿気硬化型接着剤として、株式会社ＩＮＡＸ製変成シリコーン系「イナメントＲＣ−Ｓ」を用意した。
【００６７】
また、芳香剤カプセルとして、実施例１と同様のものを用意した。
【００６８】
この湿気硬化型接着剤１００質量部と、芳香剤カプセル２質量部とを混合し、芳香剤カプセル含有湿気硬化型接着剤を得た。
【００６９】
＜試験室の作成＞
接着剤として上記芳香剤カプセル含有湿気硬化型接着剤を用いると共に、調湿建材として実施例１と同様の調湿建材本体をそのまま（芳香剤カプセル分散液を調湿建材本体の裏面に塗布することなく）用いたことの他は実施例１と同様にして、試験室を作成した。なお、この芳香剤カプセル含有湿気硬化型接着剤の壁面への塗布量は０．２ｇ／ｃｍ２とした。
【００７０】
＜測定＞
この試験室について、実施例１と同様の測定を行った。
【００７１】
その結果、調湿建材を設置した試験室においては、測定開始から１０日後から芳香が確認され、測定開始から６ヶ月後まで芳香が持続した。
【００７２】
比較例２
＜芳香剤含有湿気硬化型接着剤の製造＞
湿気硬化型接着剤及び芳香剤として、実施例２と同様のものを用いた。但し、比較例２では、芳香剤に水溶性ドライカプセルを被覆しなかった。
【００７３】
この湿気硬化型接着剤１００質量部と、芳香剤２質量部とを混合することにより、芳香剤含有湿気硬化型接着剤を得た。
【００７４】
＜試験室の作成及び測定＞
接着剤として上記芳香剤含有湿気硬化型接着剤を用いたことの他は実施例２と同様にして試験室を作成し、実施例２と同様の測定を行った。
【００７５】
その結果、測定開始直後から芳香が確認されたが、測定開始から２０日後に芳香が確認されなくなった。
【００７６】
実施例３  
＜芳香剤カプセルを充填した容器の用意＞
実施例１と同様の芳香剤カプセル１００ｇを、上端が開放した円筒形容器内に充填した。
【００７７】
＜試験室の作成＞
２ｍ×２ｍ×２ｍの試験室を用意した。この試験室の４壁面、天井面及び床面には石膏ボードを用いた。この試験室内の３壁面に、実施例１と同様の調湿建材本体（但し、実施例１と異なり、該調湿建材本体の裏面には芳香剤カプセル分散液を塗布しなかった。）をウレタン系接着剤を用いて設置した。各壁面において、調湿建材本体は縦６列×横６列に設置した。
【００７８】
また、図１の通り、試験室内の上記３側面のうちの１壁面に凹部を１箇所設け、該凹部内に上記容器を収納した。この壁面のうち凹部よりもやや上方及びやや下方にフックを設けると共に、１枚の調湿建材本体の裏面の上部及び下部にもフックを設け、該壁面のフックに調湿建材本体のフックを掛けることにより、該凹部を調湿建材本体で覆った。
【００７９】
＜測定＞
この試験室について、実施例１と同様の測定を行った。その結果、調湿建材を設置した試験室においては、測定開始から１０日後から芳香が確認され、測定開始から６ヶ月後まで芳香が持続した。
【００８０】
比較例３
芳香剤カプセル１００ｇに代えて実施例１と同様の芳香剤１００ｇをビンに充填したことの他は実施例３と同様にして実験を行った。
【００８１】
その結果、測定開始直後から芳香が確認されたが、測定開始から２０日後に芳香が確認されなくなった。
【図面の簡単な説明】
【００８２】
【図１】実施の形態に係る調湿建材の設置構造の縦断面図である。
【符号の説明】
【００８３】
１，２  調湿建材
２ａ，２ｂ  フック
３  壁
３ａ，３ｂ  フック
４  凹部
５  容器
【図１】
2010007354.tif 000003